(57)【要約】【課題】複数の受信系統にて同一受信周波数の放送信号を受信する場合に、受信系統間の発振周波数の若干のずれで、可聴周波数帯域にビートが発生してしまう。【解決手段】受信対象に関わる受信周波数の放送信号を受信する第１受信系統１０及び第２受信系統２０を有し、各受信系統は、放送信号を受信すべく、受信対象の受信周波数に対応した発振周波数を生成する第１ＶＣＯ部１２及び第１ＰＬＬ部１５（第２ＶＣＯ部２２及び第２ＰＬＬ部２５）を備えた車載用ラジオ受信装置１であって、第１受信系統及び第２受信系統の受信対象に関わる受信周波数が同一であると判定されると、第１受信系統及び第２受信系統同士の発振周波数の差分が約２０ｋＨｚとなるように、受信対象の受信周波数に対応した発振周波数が受信系統間で±１０ｋＨｚずれるように第１ＰＬＬ部及び第２ＰＬＬ部を制御するマイコン３０を有している。【選択図】  図１
2004304442.tif 000002
【特許請求の範囲】
【請求項１】
受信対象に関わる受信周波数の放送信号を受信する複数の受信系統を有し、各受信系統は、前記放送信号を受信すべく、前記受信対象の受信周波数に対応した発振周波数を生成する発振周波数生成手段を備えた放送受信装置であって、
前記受信系統同士の発振周波数の差分が所定周波数以上になるように、各受信系統の発振周波数生成手段を制御する制御手段を有することを特徴とする放送受信装置。
【請求項２】
各受信系統の受信対象に関わる受信周波数が同一であるか否かを判定する判定手段を有し、
前記制御手段は、
前記判定手段にて各受信系統の受信対象に関わる受信周波数が同一であると判定されると、前記受信系統同士の発振周波数の差分が所定周波数以上になるように、各受信系統の発振周波数生成手段を制御することを特徴とする請求項１記載の放送受信装置。
【発明の詳細な説明】
【０００１】
【発明の属する技術分野】
本発明は、例えば欧州のＲＤＳ方式や、北米のＲＢＤＳ方式等のＦＭ多重方式の放送信号を受信する受信系統を複数備えた放送受信装置に関する。
【０００２】
【従来の技術】
従来、このような複数の受信系統を備えた放送受信装置としては様々提案されている（例えば特許文献１参照）。
【０００３】
この特許文献１によれば、第１受信系統と第２受信系統とを有し、第１受信系統及び第２受信系統内の周波数発振器（以下、単にＶＣＯ部と称する）にて発振周波数を生成し、この発振周波数に基づいて、第２受信系統で受信周波数の放送信号と同調し、第２受信系統にて受信レベルが最大の放送信号を受信すると、この放送信号を第１受信系統に追従させるようにしたので、第１受信系統で受信レベルの良好な放送信号を受信することができる。
【０００４】
【特許文献１】
特許２７５７３９９号公報（第３頁、図１参照）
【０００５】
【発明が解決しようとする課題】
しかしながら、上記従来の放送受信装置によれば、第１受信系統及び第２受信系統で同一の受信周波数の放送信号を受信しようとする場合、第１受信系統及び第２受信系統の各ＶＣＯ部で同一の発振周波数を夫々生成し、これら夫々生成した発振周波数に基づいて同一の受信周波数の放送信号を受信するようにしたが、各受信系統の部品ばらつきで発振周波数間に若干のズレが生ずると、この発振周波数間の差分がビート周波数となり、例えばＦＭ放送の可聴周波数帯域（５０Ｈｚ〜１５ｋＨｚ）にビートが発生するような場合には、その可聴品質が劣化してしまう。
【０００６】
そこで、このような事態に対処すべく、例えば第１受信系統で受信対象の放送信号を受信する場合には、この第１受信系統での受信に影響を与えるような受信周波数の放送信号の受信を第２受信系統側で禁止させることも考えられるが、このような技術を実現しようとすれば、非常に複雑な処理を必要とする。
【０００７】
本発明は上記点に鑑みてなされたものであり、その目的とするところは、複数の受信系統にて同一受信周波数の放送信号を受信する場合、複雑な処理を用いることなく、可聴周波数帯域でのビート発生を確実に防止することができる放送受信装置を提供することにある。
【０００８】
【課題を解決するための手段】
上記目的を達成するために本発明の放送受信装置は、受信対象に関わる受信周波数の放送信号を受信する複数の受信系統を有し、各受信系統は、前記放送信号を受信すべく、前記受信対象の受信周波数に対応した発振周波数を生成する発振周波数生成手段を備えた放送受信装置であって、前記受信系統同士の発振周波数の差分が所定周波数以上になるように、各受信系統の発振周波数生成手段を制御する制御手段を有するようにした。
【０００９】
従って、本発明の放送受信装置によれば、前記受信系統同士の発振周波数の差分が所定周波数以上にするように、各受信系統の発振周波数生成手段を制御するようにしたので、各受信系統で同一受信周波数の放送信号を受信する場合に、例えば受信系統内に部品のばらつきがあったとしても、可聴周波数帯域にビートが発生しない程度に受信系統間の発振周波数の差分を所定周波数以上にすることで、複雑な処理を用いることなく、可聴周波数帯域でのビート発生を確実に防止することができる。
【００１０】
本発明の放送受信装置は、各受信系統の受信対象に関わる受信周波数が同一であるか否かを判定する判定手段を有し、前記制御手段は、前記判定手段にて各受信系統の受信対象に関わる受信周波数が同一であると判定されると、前記受信系統同士の発振周波数の差分が所定周波数以上になるように、各受信系統の発振周波数生成手段を制御するようにした。
【００１１】
従って、本発明の放送受信装置によれば、各受信系統の受信対象に関わる受信周波数が同一であると判定されると、前記受信系統同士の発振周波数の差分が所定周波数以上になるように、各受信系統の発振周波数生成手段を制御するようにしたので、例えば可聴周波数帯域にビートが発生しやすい同一受信周波数の放送信号を受信するような場合にのみ、受信系統同士の発振周波数の差分を所定周波数以上にし、各受信系統で異なる受信周波数の放送信号を受信するような場合には、各受信系統で発振周波数をずらさないため、その結果、歪率を最小限に抑制することができる。
【００１２】
【発明の実施の形態】
以下、図面に基づいて本発明の放送受信装置における実施の形態を示す車載用ラジオ受信装置について説明する。図１は本発明の放送受信装置における実施の形態を示す車載用ラジオ受信装置内部の概略構成を示すブロック図である。
【００１３】
図１に示す車載用ラジオ受信装置１は、到来する放送電波から放送信号を受信する第１受信系統１０及び第２受信系統２０と、この車載用ラジオ受信装置１全体を制御するマイコン３０とを有し、マイコン３０は、第１受信系統１０又は第２受信系統２０で受信した放送信号から受信レベルの良好な放送信号を選択し、この選択した放送信号を図示せぬスピーカから音響出力するものである。
【００１４】
第１受信系統１０は、メイン側受信系統とし、到来する放送電波から放送信号を受信し、この放送信号を高周波増幅する第１高周波増幅部（以下、単に第１ＲＦ部と称する）１１と、この第１ＲＦ部１１にて高周波増幅した放送信号と第１周波数発振部（以下、単に第１ＶＣＯ部と称する）１２からの第１発振周波数とを混合することで所望の中間周波数信号を生成する第１混合部（以下、第１ＭＩＸ部と称する）１３と、この中間周波数信号を増幅してＦＭ検波し、さらにＦＭ復調出力する第１検波・マルチプレクサ部（以下、単に第１ＤＥＴ／ＭＰＸ部と称する）１４と、マイコン３０からの第１設定値Ｎ１に基づいて第１基準周波数を生成する第１ＰＬＬ部１５と、この第１ＰＬＬ部１５からの第１基準周波数に基づいて、第１ＭＩＸ部１４で所望の中間周波数が取得できるように、第１発振周波数を生成する第１ＶＣＯ部１２とを有している。
【００１５】
また、第２受信系統２０は、サブ側受信系統とし、到来する放送電波から放送信号を受信し、この放送信号を高周波増幅する第２ＲＦ部２１と、この第２ＲＦ部２１にて高周波増幅した放送信号と第２ＶＣＯ部２２からの第２発振周波数とを混合することで所望の中間周波数信号を生成する第２ＭＩＸ部２３と、この中間周波数信号を増幅してＦＭ検波し、さらにＦＭ復調出力する第２ＤＥＴ／ＭＰＸ部２４と、マイコン３０からの第２設定値Ｎ２に基づいて第２基準周波数を生成する第２ＰＬＬ部２５と、この第２ＰＬＬ部２５の第２基準周波数に基づいて、第２ＭＩＸ部２３で所望の中間周波数が取得できるように、第２発振周波数を生成する第２ＶＣＯ部２２とを有している。
【００１６】
第１ＰＬＬ部１５及び第２ＰＬＬ部２５は、その基準周波数を１０ｋＨｚとしている。尚、これら第１ＰＬＬ部１５及び第２ＰＬＬ部２５は、一般的に基準周波数を５０ｋＨｚ又は１００ｋＨｚ程度としているが、本願発明においては、その基準周波数を５ｋＨｚ〜１０ｋＨｚ程度の値にすることが望ましい。
【００１７】
尚、請求項記載の放送受信装置は車載用ラジオ受信装置１、受信系統は第１受信系統１０（第２受信系統２０）、発振周波数生成手段は第１ＶＣＯ部１２（第２ＶＣＯ２２）及び第１ＰＬＬ部１５（第２ＰＬＬ部２５）、制御手段及び判定手段はマイコン３０に相当するものである。
【００１８】
次に本実施の形態を示す車載用ラジオ受信装置１の動作について説明する。図２は本実施の形態を示す車載用ラジオ受信装置１の放送受信処理に関わるマイコン３０の処理動作を示すフローチャートである。
【００１９】
図２に示す放送受信処理とは、第１受信系統１０及び第２受信系統２０で同一受信周波数の放送信号を受信する場合、ＦＭ放送の可聴周波数帯域にビートが発生することなく、第１受信系統１０及び第２受信系統２０にて放送信号を夫々受信する処理である。
【００２０】
図２においてマイコン３０は、第１受信系統１０で受信する放送信号の受信周波数Ｆ１と第２受信系統２０で受信する放送信号の受信周波数Ｆ２とが同一であるか否かを判定する（ステップＳ１１）。
【００２１】
マイコン３０は、第１受信系統１０及び第２受信系統２０で受信する放送信号の受信周波数が同一であると判定されると、この受信対象の受信周波数に対応した発振周波数を＋１０ｋＨｚずらした第１発振周波数を第１ＶＣＯ部１２で生成すべく、第１設定値Ｎ１を設定すると共に、同受信周波数に対応した発振周波数を−１０ｋＨｚずらした第２発振周波数を第２ＶＣＯ部２２で生成すべく、第２設定値Ｎ２を設定する（ステップＳ１２）。
【００２２】
マイコン３０は、第１設定値Ｎ１を第１ＰＬＬ部１５に、第２設定値Ｎ２を第２ＰＬＬ部２５に伝送することで（ステップＳ１３）、第１ＰＬＬ部１５を通じて第１ＶＣＯ部１２で第１発振周波数を生成し、第２ＰＬＬ部２５を通じて第２ＶＣＯ部２２で第２発振周波数を生成することになる。
【００２３】
マイコン３０は、第１ＶＣＯ部１２からの第１発振周波数に基づいて第１受信系統１０での受信動作を実行すると共に、第２ＶＣＯ部２２からの第２発振周波数に基づいて第２受信系統２０での受信動作を実行する（ステップＳ１４）。
【００２４】
その結果、第１受信系統１０では、第１ＭＩＸ部１３を通じて、第１発振周波数に基づいて＋１０ｋＨｚずれた受信周波数の放送信号を最終的に受信し、第２受信系統２０では、第２ＭＩＸ部２３を通じて、第２発振周波数に基づいて−１０ｋＨｚずれた受信周波数にて放送信号を最終的に受信することになる。
【００２５】
また、ステップＳ１１にて第１受信系統１０で受信する放送信号の受信周波数と第２受信系統２０で受信する放送信号の受信周波数とが同一でなければ、マイコン３０は、第１受信系統１０の受信対象に関わる受信周波数に対応した発振周波数を第１発振周波数として第１ＶＣＯ部１２で生成すべく、第１設定値Ｎ１を設定すると共に、第２受信系統２０の受信対象に関わる受信周波数に対応した発振周波数を第２発振周波数として第２ＶＣＯ部２２で生成すべく、第２設定値Ｎ２を設定することで（ステップＳ１５）、ステップＳ１３に移行する。
【００２６】
その結果、ステップＳ１３及びステップＳ１４の処理動作を経て、第１受信系統１０では、第１ＭＩＸ部１３を通じて、第１発振周波数に基づいて受信対象に関わる受信周波数の放送信号を受信し、第２受信系統２０では、第２ＭＩＸ部２３を通じて、第２発振周波数に基づいて受信対象に関わる受信周波数の放送信号を受信することことになる。
【００２７】
では、このような放送受信処理につき、具体的な例をあげて説明する。図３は放送受信処理に関わる放送信号の受信周波数（９８．１ＭＨｚ）と、この受信周波数に対応した発振周波数との関係を示す説明図である。
【００２８】
例えば第１受信系統１０及び第２受信系統２０にて９８．１ＭＨｚの受信周波数の放送信号を受信する場合、理想的には、受信対象に関わる受信周波数（９８．１ＭＨｚ）に対応した１０８．８ＭＨｚの発振周波数に基づいて、同受信周波数の放送信号を受信するのが望ましい。
【００２９】
しかしながら、実際には、受信可能範囲（図３の太線）でからもわかる通り、例えば９８．１ＭＨｚに対して±１０ｋＨｚの９８．０９ＭＨｚや９８．１１ＭＨｚ等の受信周波数であっても、９８．１ＭＨｚの受信周波数の放送信号を受信することができる。
【００３０】
そこで、第１受信系統１０では、図２のステップＳ１２に示すように、理想受信周波数の９８．１ＭＨｚから＋１０ｋＨｚずれた９８．１１ＭＨｚの受信周波数を受信すべく、１０８．８１ＭＨｚの第１発振周波数を生成し、この１０８．８１ＭＨｚの第１発振周波数に基づいて９８．１１ＭＨｚの受信周波数の放送信号を受信することになる。
【００３１】
さらに、第２受信系統２０では、同様に、理想受信周波数の９８．１ＭＨｚから−１０ｋＨｚずれた９８．０９ＭＨｚの受信周波数を受信すべく、１０８．７９ＭＨｚの第２発振周波数を生成し、この１０８．７９ＭＨｚの第２発振周波数に基づいて９８．０９ＭＨｚの受信周波数の放送信号を受信することになる。
【００３２】
この際、第１受信系統１０の第１発振周波数（１０８．１１ＭＨｚ）及び第１受信系統２０の第２発振周波数（１０８．７９ＭＨｚ）間の差分、すなわち２０ｋＨｚがビート周波数となる。従って、ＦＭ放送の可聴周波数帯域は５０Ｈｚ〜１５ｋＨｚであることから、可聴周波数帯域内にはビートが発生しないということになる。
【００３３】
このように本実施の形態によれば、第１受信系統１０及び第２受信系統２０にて同一の受信周波数の放送信号を受信しようとする場合、第１受信系統１０と第２受信系統２０とを同一発振周波数とせず、第１受信系統１０では同発振周波数から＋１０ｋＨｚずらして第１発振周波数を生成し、第２受信系統２０では同発振周波数から−１０ｋＨｚずらして第２発振周波数を生成させるようにしたので、第１発振周波数及び第２発振周波数間の差分、すなわち２０ｋＨｚがビート周波数となることから、複雑な処理を用いなくても、ＦＭ放送の可聴周波数帯域（５０Ｈｚ〜１５ｋＨｚ）でのビート発生を確実に防止することができる。
【００３４】
また、本実施の形態によれば、可聴周波数帯域にビートが発生しやすい、第１受信系統１０及び第２受信系統２０にて同一の受信周波数の放送信号を受信するような場合にのみ、第１発振周波数及び第２発振周波数をずらすようにしたので、第１受信系統１０及び第２受信系統２０にて互いに異なる受信周波数の放送信号を受信するような場合には、その歪率を最小限に抑制することができる。
【００３５】
尚、上記実施の形態においては、第１受信系統１０及び第２受信系統２０にて同一受信周波数の放送信号を受信する場合、第１発振周波数及び第２発振周波数は、同受信周波数に対応した発振周波数から±１０ｋＨｚずらすように生成したが、この数値に限定されるものではなく、第１発振周波数及び第２発振周波数間の差分（ビート周波数）が可聴周波数帯域に発生しないのであれば、例えば±８ｋＨｚや±２０ｋＨｚ等の任意の値であってもよい。
【００３６】
また、上記実施の形態においては、受信対象の受信周波数に対応した発振周波数を±方向に等間隔（１０ｋＨｚ）でずらすことで、第１発振周波数及び第２発振周波数を生成するようにしたが、等間隔にずらさなくても良く、すなわち、第１発振周波数及び第２発振周波数間の差分（ビート周波数）が可聴周波数帯域に発生しないのであれば、例えば受信周波数に対応した発振周波数から不等間隔にずらすことで第１発振周波数及び第２発振周波数を生成したり、第１発振周波数又は第２発振周波数のいずれか一方だけを受信周波数に対応した発振周波数からずらすようにしても同様の効果が得られる。
【００３７】
【発明の効果】
上記のように構成された本発明の放送受信装置によれば、受信系統同士の発振周波数の差分が所定周波数以上になるように、各受信系統の発振周波数生成手段を制御するようにしたので、各受信系統で同一受信周波数の放送信号を受信する場合に、例えば受信系統内に部品のばらつきがあったとしても、可聴周波数帯域にビートが発生しない程度に受信系統間の発振周波数の差分を所定周波数以上とし、複雑な処理を用いることなく、可聴周波数帯域でのビート発生を確実に防止することができる。
【００３８】
本発明の放送受信装置によれば、各受信系統の受信対象に関わる受信周波数が同一であると判定されると、前記受信系統同士の発振周波数の差分が所定周波数以上になるように、各受信系統の発振周波数生成手段を制御するようにしたので、例えば可聴周波数帯域にビートが発生しやすい同一受信周波数の放送信号を受信するような場合にのみ、受信系統同士の発振周波数の差分を所定周波数以上とし、各受信系統で異なる受信周波数の放送信号を受信するような場合には、各受信系統で発振周波数をずらさないため、その結果、歪率を最小限に抑制することができる。
【図面の簡単な説明】
【図１】本発明の放送受信装置に関わる実施の形態を示す車載用ラジオ受信装置内部の概略構成を示すブロック図である。
【図２】本実施の形態に関わる車載用ラジオ受信装置の放送受信処理に関わるマイコンの処理動作を示すフローチャートである。
【図３】本実施の形態に関わる車載用ラジオ受信装置の放送受信処理に関わる放送信号の受信周波数（９８．１ＭＨｚ）と、この受信周波数に対応する発振周波数との関係を示す説明図である。
【符号の説明】
１  車載用ラジオ受信装置（放送受信装置）
１０  第１受信系統（受信系統）
１２  第１ＶＣＯ部（発振周波数生成手段）
１５  第１ＰＬＬ部（発振周波数生成手段）
２０  第２受信系統（受信系統）
２２  第２ＶＣＯ部（発振周波数生成手段）
２５  第２ＰＬＬ部（発振周波数生成手段）
３０  マイコン（制御手段、判定手段）
【図１】
2004304442.tif 000003
【図２】
2004304442.tif 000004
【図３】
2004304442.tif 000005